(57)【要約】【課題】脱血の終了を容易且つ正確に検知することができる血液浄化装置を提供する。【解決手段】プライミング液充填工程にて血液回路及びダイアライザ３の血液流路にプライミング液が充填された状態で、動脈側血液回路１の先端及び静脈側血液回路２の先端の双方から同時に当該ダイアライザまで患者の血液を導いてプライミング液と置換させ、置換された液体を当該ダイアライザの血液浄化膜を介して透析液流路側に濾過させる脱血工程が行われ、脱血工程の過程で、ダイアライザ３における血液浄化膜の限外濾過率又は膜間圧力差を経時的に求める演算手段９と、該演算手段９にて経時的に求められた膜間圧力差又は限外濾過率の変化率を監視するとともに、その膜間圧力差又は限外濾過率の変化率が規定値より大きくなったことを検出し、脱血工程が終了したことを検知する監視手段１０とを具備したものである。【選択図】図３
2010004905.tif 000002
【特許請求の範囲】
【請求項１】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
前記動脈側血液回路に配設された血液ポンプと、
該血液浄化手段の透析液流路入口及び出口に接続された透析液導入ライン及び透析液排出ラインと、
を具備した血液浄化装置において、
治療前のプライミングにおいて前記血液回路及び前記血液浄化手段の血液流路内にプライミング液を供給して当該血液回路及び血液流路内で充填させるプライミング液充填工程と、
該プライミング液充填工程にて前記血液回路及び前記血液浄化手段の血液流路にプライミング液が充填された状態で、前記動脈側血液回路の先端及び前記静脈側血液回路の先端の双方から同時に当該血液浄化手段まで患者の血液を導いてプライミング液と置換させ、置換された液体を当該血液浄化手段の血液浄化膜を介して前記透析液流路側に濾過させる脱血工程と、
該脱血工程後、前記動脈側血液回路の先端から前記血液浄化手段を介して前記静脈側血液回路の先端まで患者の血液を体外循環しつつ浄化する治療工程と、
が行われるとともに、
前記脱血工程の過程で、前記血液浄化手段における血液浄化膜の限外濾過率又は膜間圧力差を経時的に求める演算手段と、
該演算手段にて経時的に求められた膜間圧力差又は限外濾過率の変化率を監視するとともに、その膜間圧力差又は限外濾過率の変化率が規定値より大きくなったことを検出し、前記脱血工程が終了したことを検知する監視手段と、
を具備したことを特徴とする血液浄化装置。
【請求項２】
前記血液回路の何れかの部位における液圧を測定するプライミング液側液圧測定手段と、
前記透析液導入ライン又は透析液排出ラインの何れかの部位における液圧を測定する透析液側液圧測定手段と、
を具備するとともに、前記演算手段は、当該プライミング液側液圧測定手段で測定される液圧と透析液側液圧測定手段で測定される液圧とに基づき前記膜間差圧又は限外濾過率を求めるものであることを特徴とする請求項１記載の血液浄化装置。
【請求項３】
前記透析液排出ラインの途中に限外濾過ポンプを具備するとともに、前記脱血工程は、当該限外濾過ポンプを一定速度で駆動させて前記血液浄化手段の透析液流路側を血液流路に対して負圧とし、且つ、前記血液ポンプを当該限外濾過ポンプより遅い速度で駆動させることにより脱血することを特徴とする請求項１又は請求項２記載の血液浄化装置。
【請求項４】
前記監視手段で膜間圧力差又は限外濾過率の変化率が規定値より大きくなったことを検出すると、自動的に前記治療工程が開始されることを特徴とする請求項１〜３の何れか１つに記載の血液浄化装置。
【発明の詳細な説明】
【技術分野】
【０００１】
本発明は、ダイアライザを使用した透析治療など、患者の血液を体外循環させつつ浄化するための血液浄化装置に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
このうち、動脈側血液回路には、しごき型の血液ポンプが配設されており、当該血液ポンプを駆動させることにより患者の体内から血液をダイアライザ側に送り込む一方、動脈側血液回路及び静脈側血液回路には、動脈側ドリップチャンバ及び静脈側ドリップチャンバが接続されており、除泡した後に患者の体内に血液が戻されるようになっている。
【０００４】
また、動脈側血液回路における血液ポンプより上流側（即ち、動脈側穿刺針側）には、プライミングや返血時等に生理食塩水を供給するためのプライミング液供給ライン（生理食塩水ライン）がＴ字管等を介して接続されており、透析治療前に、血液回路や該血液回路に接続されたドリップチャンバ等構成要素に生理食塩水（プライミング液）を流し充填させてプライミングを行い得るよう構成されている。
【０００５】
然るに、動脈側血液回路の先端に取り付けられた動脈側穿刺針及び静脈側血液回路の先端に取り付けられた静脈側穿刺針を患者に穿刺するとともに、プライミングにて血液回路及びダイアライザの血液流路にプライミング液が充填された状態で、動脈側穿刺針及び静脈側穿刺針の双方から同時にダイアライザまで患者の血液を導いてプライミング液と置換させ、置換された液体を当該ダイアライザの血液浄化膜を介して透析液流路側に濾過させることが行われている。これにより、プライミング液を患者の体内に導くことなく脱血を行うことができる。
【０００６】
従来の血液浄化装置においては、上記の如き脱血時、例えば限外濾過ポンプ等を駆動させることにより血液流路の液体を血液浄化膜を介して透析液流路側に濾過させていた。そして、ダイアライザの血液流路及び血液回路のプライミングボリューム（充填されたプライミング液の容量）を予め記憶しておき、限外濾過ポンプ等が当該プライミングボリューム分だけ駆動したことを把握させることにより、脱血が終了したことを把握していた（例えば特許文献１参照）。
【特許文献１】特開２０００−３２５４７０号公報
【発明の開示】
【発明が解決しようとする課題】
【０００７】
しかしながら、上記従来の血液浄化装置においては、ダイアライザの血液流路及び血液回路のプライミングボリュームを予め記憶しておき、限外濾過ポンプ等が当該プライミングボリューム分だけ駆動したことを把握させることにより、脱血が終了したことを把握していたので、以下の如き問題があった。
【０００８】
即ち、患者の特性等により使用するダイアライザの種類や血液回路に接続すべき構成要素等が異なることから、ダイアライザの血液流路及び血液回路のプライミングボリュームが患者毎に異なっているのが実情である。而して、プライミングボリュームが種々異なることから、当該プライミングボリュームを基準として脱血終了を判断するのは困難を生じてしまうという問題があった。
【０００９】
本発明は、このような事情に鑑みてなされたもので、脱血の終了を容易且つ正確に検知することができる血液浄化装置を提供することにある。
【課題を解決するための手段】
【００１０】
請求項１記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、前記動脈側血液回路に配設された血液ポンプと、該血液浄化手段の透析液流路入口及び出口に接続された透析液導入ライン及び透析液排出ラインとを具備した血液浄化装置において、治療前のプライミングにおいて前記血液回路及び前記血液浄化手段の血液流路内にプライミング液を供給して当該血液回路及び血液流路内で充填させるプライミング液充填工程と、該プライミング液充填工程にて前記血液回路及び前記血液浄化手段の血液流路にプライミング液が充填された状態で、前記動脈側血液回路の先端及び前記静脈側血液回路の先端の双方から同時に当該血液浄化手段まで患者の血液を導いてプライミング液と置換させ、置換された液体を当該血液浄化手段の血液浄化膜を介して前記透析液流路側に濾過させる脱血工程と、該脱血工程後、前記動脈側血液回路の先端から前記血液浄化手段を介して前記静脈側血液回路の先端まで患者の血液を体外循環しつつ浄化する治療工程とが行われるとともに、前記脱血工程の過程で、前記血液浄化手段における血液浄化膜の限外濾過率又は膜間圧力差を経時的に求める演算手段と、該演算手段にて経時的に求められた膜間圧力差又は限外濾過率の変化率を監視するとともに、その膜間圧力差又は限外濾過率の変化率が規定値より大きくなったことを検出し、前記脱血工程が終了したことを検知する監視手段とを具備したことを特徴とする。
【００１１】
請求項２記載の発明は、請求項１記載の血液浄化装置において、前記血液回路の何れかの部位における液圧を測定するプライミング液側液圧測定手段と、前記透析液導入ライン又は透析液排出ラインの何れかの部位における液圧を測定する透析液側液圧測定手段とを具備するとともに、前記演算手段は、当該プライミング液側液圧測定手段で測定される液圧と透析液側液圧測定手段で測定される液圧とに基づき前記膜間差圧又は限外濾過率を求めるものであることを特徴とする。
【００１２】
請求項３記載の発明は、請求項１又は請求項２記載の血液浄化装置において、前記透析液排出ラインの途中に限外濾過ポンプを具備するとともに、前記脱血工程は、当該限外濾過ポンプを一定速度で駆動させて前記血液浄化手段の透析液流路側を血液流路に対して負圧とし、且つ、前記血液ポンプを当該限外濾過ポンプより遅い速度で駆動させることにより脱血することを特徴とする。
【００１３】
請求項４記載の発明は、請求項１〜３の何れか１つに記載の血液浄化装置において、前記監視手段で膜間圧力差又は限外濾過率の変化率が規定値より大きくなったことを検出すると、自動的に前記治療工程が開始されることを特徴とする。
【発明の効果】
【００１４】
請求項１の発明によれば、経時的に求められた膜間圧力差又は限外濾過率の変化率を監視するとともに、その膜間圧力差又は限外濾過率の変化率が規定値より大きくなったことを検出し、脱血工程が終了したことを検知するよう構成されているので、脱血の終了を容易且つ正確に検知することができる。
【００１５】
請求項２の発明によれば、演算手段は、プライミング液側液圧測定手段で測定される液圧と透析液側液圧測定手段で測定される液圧とに基づき膜間差圧又は限外濾過率を求めるので、既存手法（既存の演算方法等）を用いて限外濾過率測定工程における限外濾過率を求めることができる。
【００１６】
請求項３の発明によれば、脱血工程は、当該限外濾過ポンプを一定速度で駆動させて血液浄化手段の透析液流路側を血液流路に対して負圧とし、且つ、血液ポンプを当該限外濾過ポンプより遅い速度で駆動させることにより脱血するので、より確実に、動脈側血液回路の先端及び前記静脈側血液回路の先端の双方から同時に当該血液浄化手段まで患者の血液を導いてプライミング液と置換させることができる。
【００１７】
請求項４の発明によれば、監視手段で膜間圧力差又は限外濾過率の変化率が規定値より大きくなったことを検出すると、自動的に治療工程が開始されるので、脱血工程から治療工程までの自動化を図ることができる。
【発明を実施するための最良の形態】
【００１８】
以下、本発明の実施形態について図面を参照しながら具体的に説明する。
本実施形態に係る血液浄化装置は、透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化手段）と、動脈側血液回路１に配設されたしごき型の血液ポンプ４と、静脈側血液回路２の途中に配設された静脈側ドリップチャンバ５と、プライミング液としての生理食塩水を収容した収容手段７と、該収容手段７と動脈側血液回路１とを連結したプライミング液供給ラインＬｃと、第１センサＰ１（プライミング液側液圧測定手段）及び第２センサＰ２（透析液側液圧測定手段）と、演算手段９と、監視手段１０とから主に構成されている。
【００１９】
動脈側血液回路１には、その先端にコネクタｃを介して動脈側穿刺針ａが接続される一方、静脈側血液回路２には、その先端にコネクタｄを介して静脈側穿刺針ｂが接続されるとともに、途中に静脈側ドリップチャンバ５が接続されている。そして、動脈側穿刺針ａ及び静脈側穿刺針ｂを患者に穿刺した状態で、血液ポンプ４を駆動させると、患者の血液は、動脈側血液回路１を通ってダイアライザ３に至った後、該ダイアライザ３によって血液浄化が施され、静脈側ドリップチャンバ５で除泡がなされつつ静脈側血液回路２を通って患者の体内に戻る。即ち、患者の血液を血液回路の動脈側血液回路１の先端から静脈側血液回路２の先端まで体外循環させつつダイアライザ３にて浄化するのである。
【００２０】
ダイアライザ３は、その筐体部に、血液導入口３ａ（血液導入ポート）、血液導出口３ｂ（血液導出ポート）、透析液導入口３ｃ（透析液導入ポート）及び透析液導出口３ｄ（透析液導出ポート）が形成されており、このうち血液導入口３ａには動脈側血液回路１が、血液導出口３ｂには静脈側血液回路２がそれぞれ接続されている。また、透析液導入口３ｃ及び透析液導出口３ｄは、透析装置本体から延設された透析液導入ラインＬａ及び透析液排出ラインＬｂとそれぞれ接続されている。
【００２１】
ダイアライザ３内には、複数の中空糸（不図示）が収容されており、この中空糸が血液を浄化するための血液浄化膜を構成している。而して、ダイアライザ３内には、血液浄化膜を介して患者の血液が流れる血液流路及び透析液が流れる透析液流路が形成されている。そして、血液浄化膜を構成する中空糸には、その外周面と内周面とを貫通した微小な孔（ポア）が多数形成されて中空糸膜を形成しており、該膜を介して血液中の老廃物等が透析液内に透過し得るよう構成されている。
【００２２】
複式ポンプ６（往復動ポンプ）は、透析装置本体内で透析液導入ラインＬａ及び透析液排出ラインＬｂに跨って配設されているとともに、当該透析装置本体には、ダイアライザ３中を流れる患者の血液から水分を除去するための除水ポンプ８が配設されている。かかる除水ポンプ８は、透析液排出ラインＬｂにおいて複式ポンプ６を迂回する如く形成された除水ラインＬｄの途中に形成されたものである。この除水ポンプ８を駆動させることにより、複式ポンプ６が定量型（導入する透析液と排出する透析液の量とが略同等）であるため、透析液導入ラインＬａから導入される透析液量よりも透析液排出ラインＬｂから排出される液体の容量が多くなり、その多い容量分だけ血液中から水分が除去（除水）されるのである。
【００２３】
また、除水ポンプ８は、透析液排出ラインＬｂの途中に配設された限外濾過ポンプとして機能するよう構成されており、後述する脱血工程時に駆動して、プライミング液充填工程で充填された生理食塩水（プライミング液）を血液流路から透析液流路まで血液浄化膜を介して正濾過（血液流路側から透析液流路側方向への濾過）させ、透析液排出ラインＬｂを通過させつつ外部へ排出し得るよう構成されている。
【００２４】
更に、透析液導入ラインＬａの一端がダイアライザ３（透析液導入口３ｃ）に接続されるとともに、他端が所定濃度の透析液を調製する透析液供給装置（不図示）に接続されている。また、透析液排出ラインＬｂの一端は、ダイアライザ３（透析液導出口３ｄ）に接続されるとともに、他端が排液手段（不図示）と接続されており、透析液供給装置から供給された透析液が透析液導入ラインＬａを通ってダイアライザ３に至った後、透析液排出ラインＬｂを通って排液手段に送られるようになっている。
【００２５】
収容手段７（所謂「生食バッグ」と称されるもの）は、可撓性の透明な容器から成り、生理食塩水（プライミング液）を所定容量収容し得るもので、例えば透析装置本体に突設されたポール（不図示）の先端に取り付けられている。プライミング液供給ラインＬｃは、動脈側血液回路１における動脈側穿刺針ａと血液ポンプ４との間の部位（連結部Ｐ）に接続され、収容手段７内の生理食塩水（プライミング液）を血液回路内に供給し得るものである。尚、プライミング液供給ラインＬｃには、その流路を任意に開閉可能な電磁弁Ｖ１が形成されている。
【００２６】
第１センサＰ１（プライミング液側液圧測定手段）は、静脈側血液回路２の途中に配設された静脈側ドリップチャンバ５内の液圧を測定するためのもので、例えば静脈側ドリップチャンバ５の空気層から延設されたチューブの先端に形成され、当該静脈側ドリップチャンバ５内の圧力を測定することにより静脈側血液回路２内の圧力（気圧及び液圧）を測定可能なものである。かかる第１センサＰ１により、治療時における静脈側血液回路２内を流れる血液の圧力（液圧）を測定することができる。
【００２７】
第２センサＰ２（透析液側液圧測定手段）は、透析液排出ラインＬｂの途中に配設されて液圧を測定するためのもので、例えば透析液排出ラインＬｂから延びるチューブの先端に形成され、その部位の液圧を測定し得るものである。かかる第２センサＰ２により、治療時における透析液排出ラインＬｂを流れる透析液の圧力を測定することができる。これら第１センサＰ１及び第２センサＰ２は、例えば透析装置本体に配設された演算手段９と電気的に接続されており、かかる演算９と監視手段１０とが電気的に接続されている。
【００２８】
上記の如き透析装置（血液浄化装置）は、透析治療前において、図２に示すように、コネクタｃ、ｄを連結させて閉回路を構成するとともに、プライミング液供給ラインＬｃにて血液回路（動脈側血液回路１及び静脈側血液回路２）内に生理食塩水（プライミング液）を供給して当該血液回路内で充填させるプライミング液充填工程が行われるよう構成されている。然るに、プライミング液充填工程で上記の如く血液回路内に生理食塩水（プライミング液）を満たすことにより、ダイアライザ３内の血液流路（中空糸膜内の流路）にもその生理食塩水（プライミング液）が充填されることとなる。
【００２９】
上記の如きプライミング液充填工程後、図３に示すように、コネクタｃ、ｄの連結を解き、これらコネクタｃ、ｄに動脈側穿刺針ａ、静脈側穿刺針ｂをそれぞれ取り付け、当該動脈側穿刺針ａ及び静脈側穿刺針ｂを患者のシャントに穿刺しつつ血液ポンプ４及び限外濾過ポンプとしての除水ポンプ８を駆動させることにより、生理食塩水（プライミング液）と血液とが順次置換され、脱血工程が行われることとなる。
【００３０】
かかる脱血工程は、当該限外濾過ポンプとしての除水ポンプ８を一定速度で駆動させてダイアライザ３の透析液流路側を血液流路に対して負圧とし、且つ、血液ポンプ４を当該除水ポンプ８（限外濾過ポンプ）より遅い速度で駆動させることにより脱血するよう構成されており、これにより、動脈側血液回路１の先端及び静脈側血液回路２の先端の双方から同時にダイアライザ３まで患者の血液を導いて充填されていたプライミング液と置換させる。
【００３１】
即ち、脱血工程は、プライミング液充填工程にて血液回路及びダイアライザ３の血液流路に生理食塩水（プライミング液）が充填された状態で、動脈側血液回路１の先端（動脈側穿刺針ａ）及び静脈側血液回路２の先端（静脈側穿刺針ｂ）の双方から同時にダイアライザ３まで患者の血液を導いて生理食塩水（プライミング液）と置換させ、置換された液体を当該ダイアライザ３の血液浄化膜を介して透析液流路側に濾過させるのである。
【００３２】
生理食塩水（プライミング液）が患者の血液と全て置換されると、脱血工程が終了し、動脈側血液回路１の先端（動脈側穿刺針ａ）からダイアライザ３（血液流路）を介して静脈側血液回路２の先端（静脈側穿刺針ｂ）まで患者の血液を体外循環しつつダイアライザ３の血液浄化膜による浄化、及び除水ポンプ８の駆動による除水等、透析治療が行われる（治療工程）。
【００３３】
ここで、本実施形態に係る透析装置（血液浄化装置）は、第１センサＰ１及び第２センサＰ２と電気的に接続された演算手段９と、該演算手段９と電気的に接続された監視手段１０とを具備している。演算手段９は、脱血工程の過程で、第１センサＰ１（プライミング液側液圧測定手段）で測定される液圧と第２センサＰ２（透析液側液圧測定手段）で測定される液圧とに基づきダイアライザ３における血液浄化膜の限外濾過率（ＵＦＲ）又は膜間圧力差（ＴＭＰ）を経時的（リアルタイム）に求めるためのものである。
【００３４】
具体的には、限外濾過率（ＵＦＲ）と膜間圧力差（ＴＭＰ）とは、限外濾過率（ＵＦＲ）＝除水速度／膜間圧力差（ＴＭＰ）、なる関係式（但し、除水速度は除水ポンプ８の駆動による流速）が成り立つため、除水速度が同じ場合、膜間圧力差（ＴＭＰ）が高ければ限外濾過率（ＵＦＲ）は低くなり、反対に膜間圧力差（ＴＭＰ）が低ければ限外濾過率（ＵＦＲ）は高くなる傾向となる。
【００３５】
尚、第１センサＰ１で液圧が測定される部位と第２センサＰ２で液圧が測定される部位との間のヘッド差で生じるヘッド差圧（α）を求めるとともに、当該第１センサＰ１による測定値（ＰＢｏｕｔ）と第２センサＰ２による測定値（ＰＤｏｕｔ）とを減算して求められた値から当該ヘッド差圧αを減算する（（ＰＢｏｕｔ−ＰＤｏｕｔ）−α）ことにより膜間差圧（ＴＭＰ）を求め、或いはその膜間差圧（ＴＭＰ）から限外濾過率（ＵＦＲ）を求めるよう構成するのが好ましい。
【００３６】
かかるヘッド差圧（α）を求めるには、プライミング液充填工程にてダイアライザ３の血液流路に生理食塩水（プライミング液）が充填されるとともに当該ダイアライザ３の透析液流路に透析液が充填された状態で、当該ダイアライザ３の血液浄化膜の膜間差圧（ＴＭＰ）又はそこから限外濾過率（ＵＦＲ）を求めるのが好ましい。
【００３７】
監視手段１０は、演算手段９にて経時的に求められた膜間圧力差又は限外濾過率の変化率（例えば単位時間あたりの変化量）を監視するとともに、その膜間圧力差又は限外濾過率の変化率が規定値より大きくなったことを検出し、脱血工程が終了したことを検知するためのものである。即ち、ダイアライザ３の血液浄化膜は、ある大きさよりも小さい物質は通過させるものの大きい物質は通過させない半透膜で構成されているため、脱血工程が進行するに連れ、ダイアライザ３の血液流路側が生理食塩水（電解質水溶液等から成るプライミング液）から血液に置換されると、血液中の血球及び血漿成分が血液浄化膜を通過できず水分子の膜透過（濾過）を阻害することとなる。
【００３８】
これにより、脱血工程が終了してダイアライザ３の血液流路側が血液に置換された状態となると、当該血液流路側が生理食塩水（プライミング液）で充填された状態と比べ、膜間圧力差（ＴＭＰ）が急激に高くなり、そこから導き出される限外濾過率（ＵＦＲ）は急激に低くなる。この急激な変化（単位時間あたりの変化量が規定値より大きくなったこと）を監視手段１０が検出することにより、脱血工程が終了したことを検知することができるのである。
【００３９】
以下、本実施形態に係る透析装置の作用について説明する。
まず、図２に示すように、ダイアライザ３の血液導入口３ａ及び血液導出口３ｂに対し動脈側血液回路１及び静脈側血液回路２の基端をそれぞれ接続させるとともに、透析液導入口３ｃ及び透析液導出口３ｄに対し透析液導入ラインＬａ及び透析液排出ラインＬｂをそれぞれ接続させ、且つ、コネクタｃとコネクタｄとを接続して互いの流路を連通させた状態とする。
【００４０】
一方、プライミング液供給ラインＬｃの先端を動脈側血液回路１の連結部Ｐに接続するとともに、その途中の電磁弁Ｖ１を開状態とする。これにより、収容手段７内の生理食塩水（プライミング液）は、その自重によりプライミング液供給ラインＬｃを通って血液回路（静脈側ドリップチャンバ５内含む）、及びダイアライザ３の血液流路内に至り満たされることとなる（プライミング液充填工程）。尚、このとき血液ポンプ４は停止状態となっている。
【００４１】
上記の如く血液回路（静脈側ドリップチャンバ５内含む）及びダイアライザ３の血液流路内で生理食塩水（プライミング液）が充填された状態で、複式ポンプ６を駆動して透析液導入ラインＬａから透析液をダイアライザ３内の透析液流路に供給し、透析液排出ラインＬｂから排出させる（所謂ガスパージ工程を行う）。そして、複式ポンプ６を停止し、ダイアライザ３における透析液流路側と血液流路側との圧力が安定した後（圧力が安定する一定時間経過後）、第１センサＰ１及び第２センサＰ２によりそれぞれの液圧を測定する。
【００４２】
このとき、複式ポンプ６及び血液ポンプ４が停止しており、且つ、動脈側血液回路１先端と静脈側血液回路２先端とが連結されているので、透析液流路側及び血液流路側は密閉系を構成することとなっている。尚、動脈側血液回路１先端と静脈側血液回路２先端とが連結されておらず開放された状態であっても、両者の圧力バランスが取れた状態とすれば足りる。
【００４３】
而して、演算手段９は、第１センサＰ１の測定値（ＰＢｏｕｔ）及び第２センサＰ２の測定値（ＰＤｏｕｔ）から、所定の演算式を用いてヘッド差圧（α）を求める。即ち、α＝ＰＢｏｕｔ−ＰＤｏｕｔ  なる演算式を演算手段９にて実行すれば、第１センサＰ１（プライミング液側液圧測定手段）が液圧を測定する部位と第２センサＰ２（透析液側液圧測定手段）が液圧を測定する部位との間のヘッド差（高低差）で生じるヘッド差圧（α）を求めることができるのである。
【００４４】
その後、図３で示すように、コネクタｃ、ｄの連結を解き、これらコネクタｃ、ｄに動脈側穿刺針ａ、静脈側穿刺針ｂをそれぞれ取り付け、当該動脈側穿刺針ａ及び静脈側穿刺針ｂを患者に穿刺して脱血工程に移行する。かかる脱血工程においては、限外濾過ポンプとしての除水ポンプ８を駆動させて除水ラインＬｄにおいて透析液を一定速度ｖ（限外濾過速度）で流動させるとともに、血液ポンプ４を駆動させる。但し、血液ポンプ４を当該限外濾過ポンプとしての除水ポンプ８より遅い速度で駆動させる。
【００４５】
而して、プライミング液充填工程にて血液回路及びダイアライザ３の血液流路に生理食塩水（プライミング液）が充填された状態で、動脈側血液回路１の先端（動脈側穿刺針ａ）及び静脈側血液回路の先端（静脈側穿刺針）の双方から同時に当該ダイアライザ３まで患者の血液を導いて生理食塩水（プライミング液）と置換させとともに、除水ポンプ８による駆動に伴ってダイアライザ３の透析液流路側が負圧とされることにより、血液流路側の生理食塩水（プライミング液）が血液浄化膜を介して透析液流路側に一定速度ｖで正濾過（血液流路側から透析液流路側方向への濾過）されることとなる。
【００４６】
これにより、ダイアライザ３の血液浄化膜を介して血液流路と透析液流路との間で生理食塩水（プライミング液）を濾過させることができるので、第１センサＰ１及び第２センサＰ２によりそれぞれの液圧を測定し、それら測定値（第１センサＰ１の測定値ＰＢｏｕｔ及び第２センサＰ２の測定値ＰＤｏｕｔ）から所定の演算式を用いて演算手段９にて膜間差圧（ＴＭＰ）を求めることができる。かかる所定の演算式は、「ＴＭＰ＝ＰＢｏｕｔ−ＰＤｏｕｔ−α」とされる。
【００４７】
即ち、本実施形態の如く限外濾過ポンプとしての除水ポンプ８を一定速度で駆動させてダイアライザ３の透析液流路側を血液流路に対して負圧とし、且つ、血液ポンプ４を当該除水ポンプ８（限外濾過ポンプ）より遅い速度で駆動させることにより脱血することにより、第１センサＰ１で測定される液圧と第２センサＰ２で測定される液圧とに基づき膜間差圧（ＴＭＰ）が経時的（リアルタイム）に求められるのである。そして、演算手段９は、この求められた膜間差圧（ＴＭＰ）に基づき、所定の演算式を用いてダイアライザ３における血液浄化膜の限外濾過率（ＵＦＲ）を経時的に求める。かかる所定の演算式は、「生食ＵＦＲ＝ｖ÷ＴＭＰ」とされる。
【００４８】
この経時的に求められた膜間差圧（ＴＭＰ）又は限外濾過率（ＵＦＲ）は、監視手段１０により監視される。即ち、監視手段１０は、演算手段９にて経時的に求められた膜間差圧（ＴＭＰ）又は限外濾過率（ＵＦＲ）の変化率（単位時間あたりの変化量）を監視するとともに、その膜間差圧（ＴＭＰ）又は限外濾過率（ＵＦＲ）の変化率が規定値（予め実験等により求められた値）より大きくなったことを検出し、脱血工程が終了したことを検知するのである。
【００４９】
このように、監視手段１０で膜間差圧（ＴＭＰ）又は限外濾過率（ＵＦＲ）の変化率が規定値より大きくなったことを検出し、脱血工程が終了したことを検知すると、自動的に透析治療（治療工程）が開始されるよう構成されている。これにより、脱血工程から治療工程までの自動化を図ることができる。尚、監視手段１０で膜間差圧（ＴＭＰ）又は限外濾過率（ＵＦＲ）の変化率が規定値より大きくなったことを検出したとき、自動的に治療工程に移行せず、例えば画面等にその旨表示させたり或いは音声等による出力で脱血工程が終了したことを報知するよう構成してもよい。
【００５０】
上記実施形態に係る血液浄化装置によれば、経時的に求められた膜間圧力差（ＴＭＰ）又は限外濾過率（ＵＦＲ）の変化率を監視するとともに、その膜間圧力差（ＴＭＰ）又は限外濾過率（ＵＦＲ）の変化率が規定値より大きくなったことを検出し、脱血工程が終了したことを検知するよう構成されているので、脱血の終了を容易且つ正確に検知することができる。尚、演算手段９にて限外濾過率（ＵＦＲ）を求めず専ら膜間圧力差（ＴＭＰ）のみを求めるとともに、監視手段１０にてその膜間圧力差（ＴＭＰ）の変化率を監視して脱血工程が終了したことを検知するものとしてもよい。
【００５１】
また、演算手段９は、第１センサＰ１（プライミング液側液圧測定手段）で測定される液圧と第２センサＰ２（透析液側液圧測定手段）で測定される液圧とに基づき膜間差圧（ＴＭＰ）又は限外濾過率（ＵＦＲ）を求めるので、既存手法（既存の演算方法等）を用いて演算手段９において限外濾過率を求めることができる。
【００５２】
更に、脱血工程は、限外濾過ポンプとしての除水ポンプ８を一定速度で駆動させてダイアライザ３の透析液流路側を血液流路に対して負圧とし、且つ、血液ポンプ４を当該限外濾過ポンプより遅い速度で駆動させることにより脱血するので、より確実に、動脈側血液回路１の先端（動脈側穿刺針ａ）及び静脈側血液回路２の先端（静脈側穿刺針ｂ）の双方から同時に当該ダイアライザ３まで患者の血液を導いてプライミング液と置換させることができる。
【００５３】
次に、本願発明の実施例について説明する。
膜面積１．５ｍ２のＩＶ型ダイアライザを使用し、生理食塩水にてプライミング後、動脈側血液回路先端及び静脈側血液回路先端に穿刺針を取り付け、牛血（１Ｌ）のタンクに接続し、自動脱血の確認を行った。尚、牛血のヘマトクリット（Ｈｔ）は、２８％、４１％、４５％とした。
【００５４】
脱血に伴う、膜間圧力差（ＴＭＰ）の経時的変化は図５に示すグラフの通りであった。全ての例（ヘマトクリットが２８、４１、４５％のもの全て）において、膜間圧力差（ＴＭＰ）が上昇する時点（同グラフ中２点鎖線で示した時点）で肉眼的に脱血は完了した。ここで、ＵＦＲ＝Ｖ／ＴＭＰ（Ｖは限外濾過速度）なので膜間圧力差（ＴＭＰ）を使用して脱血の完了を検知する方法を図６（膜間圧力差（ＴＭＰ）の上昇と脱血完了）を用いて説明する。
【００５５】
限外濾過速度Ｖにて限外濾過を開始し、時間とＴＭＰの値を連続的にモニタリングするとともに、一定時間ごとに時間とＴＭＰの関係を直線近似する。かかる直線近似式は  Ｙ＝ａＸ＋ｂで表されるが、経時的にＹ＝ｃＸ＋ｄ、Ｙ＝ｅＸ＋ｆ、…と逐次変化していくこととなる。このとき、ａ、ｃ、ｅは近似直線の傾きであり、膜間圧力差（ＴＭＰ）がどれだけ急激に上昇しつつあるかを示している。
【００５６】
脱血が専ら生理食塩水（プライミング液）を限外濾過している段階（Ｙ＝ａＸ＋ｂ）をベースに、Ｙ＝ｃＸ＋ｄ、Ｙ＝ｅＸ＋ｆに示す近似直線傾き比ｃ／ａ、ｅ／ａを算出し、規定値に達したところ（同図中２点鎖線で示した時点）で脱血完了と判断する。別な方法として、直線近似式のＹ切片は、図６（ＴＭＰの上昇と脱血完了）で示す通り、ｂ＞ｄ＞ｆとなる。初期にたてた直線近似式のＹ切片ｂを基準として、Ｙ切片の大きさが予め決めた既定値に達したところで脱血完了と判断することも可能である。尚、ヘマトクリットによってＴＭＰの上昇曲線が異なるので、あらかじめ患者ごとに個々のヘマトクリット値を入力しておけばより確実に脱血の完了が判断できる。
【００５７】
また、さらに別な方法として、直線近似式Ｙ＝ａＸ＋ｂからは、相関係数Ｒが算出される。脱血開始から現時点まで直線近似式を延長すれば、ＴＭＰが上昇し始める時点から相関係数Ｒが減少する。Ｒ減少幅を規定値として記憶しておけば規定値に達したところで脱血完了を判断可能である。当該相関係数はＲ×Ｒ（Ｒの２乗）を使用してもよい。このように、近似式または近似式に対する相関係数を使用して脱血完了を判断することが可能とされる。
【００５８】
以上、本実施形態について説明したが、本発明はこれらに限定されるものではなく、例えば第１センサＰ１から成るプライミング液側液圧測定手段は、血液回路の何れかの部位におけるプライミング液の液圧を測定するものであれば他の位置に配設されたものであってもよく、或いは第２センサＰ２から成る透析液側液圧測定手段は、透析液導入ラインＬａ又は透析液排出ラインＬｂの何れかの部位における透析液の液圧を測定するものであれば他の位置に配設されたものであってもよい。
【００５９】
また、第１センサＰ１（プライミング液側液圧測定手段）が液圧を測定する部位と第２センサＰ２（透析液側液圧測定手段）が液圧を測定する部位との間のヘッド差（高低差）で生じるヘッド差圧が極めて微小である場合、ヘッド差圧による誤差が小さいと判断し、当該ヘッド差圧を求めないよう構成してもよい。
【００６０】
尚、本実施形態においては、除水ポンプ４を限外濾過ポンプとして機能させているが、透析液排出ラインＬｂの途中において別個限外濾過ポンプを設けるよう構成してもよい。また、透析治療時に用いられる透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【００６１】
脱血工程の過程で、血液浄化手段における血液浄化膜の限外濾過率又は膜間圧力差を経時的に求める演算手段と、該演算手段にて経時的に求められた膜間圧力差又は限外濾過率の変化率を監視するとともに、その膜間圧力差又は限外濾過率の変化率が規定値より大きくなったことを検出し、脱血工程が終了したことを検知する監視手段とを具備した血液浄化装置であれば、他の形態及び用途のものにも適用することができる。
【図面の簡単な説明】
【００６２】
【図１】本発明の実施形態に係る透析装置（血液浄化装置）を示す模式図
【図２】同透析装置におけるプライミング液充填工程時の状態を示す模式図
【図３】同透析装置における脱血工程時の状態を示す模式図
【図４】同透析装置における治療工程時の状態を示す模式図
【図５】実施例におけるＴＭＰの経時的変化を示すグラフ
【図６】実施例におけるＴＭＰの上昇と脱血完了との関係を示すグラフ
【符号の説明】
【００６３】
１    動脈側血液回路
２    静脈側血液回路
３    ダイアライザ（血液浄化手段）
４    血液ポンプ
５    静脈側ドリップチャンバ
６    複式ポンプ
７    収容手段
８    除水ポンプ（限外濾過ポンプ）
９    演算手段
１０  監視手段
Ｐ１  第１センサ（プライミング液側液圧測定手段）
Ｐ２  第２センサ（透析液側液圧測定手段）
Ｌａ  透析液導入ライン
Ｌｂ  透析液排出ライン
Ｌｃ  プライミング液供給ライン
Ｌｄ  除水ライン
【図１】
2010004905.tif 000003
【図２】
2010004905.tif 000004
【図３】
2010004905.tif 000005
【図４】
2010004905.tif 000006
【図５】
2010004905.tif 000007
【図６】
2010004905.tif 000008